(57)【要約】  データ記憶ディスク又はその他の円盤状物品を移送、保管、及び処理する際に使用される改良版汎用ディスク容器を含むシステム、方法、及び構成。ディスク輸送システム及び方法は、様々な厚さと枚数のディスクの容器内でのパッケージングと輸送を可能にする。微粒子の発生、ディスクの損傷を最小限に抑え、組立を容易化しつつ汎用性を提供する。スロット付き汎用カセットは、ディスクの傾斜時にディスク間の接触を防止しつつ同径で厚さの異なるディスクを取扱う狭窄下部を有する。汎用上蓋は、様々な厚さのディスク、即ち０．０２５インチ厚又は０．０５０インチ厚のディスクを装填可能な同一カセット用に構成される。また、汎用上蓋は、様々な収容枚数のカセット、即ち２５枚又は３５枚収容の６５ｍｍカセットで使用される。汎用上蓋は、カセット内で傾斜するディスクを容易に収容する。真空パックによりディスクが容器内の定位置により確実に固定される。【選択図】図６
2013511791.tif 000002
【特許請求の範囲】
【請求項１】
メモリディスクを輸送する汎用ディスク輸送容器であって、
対向側壁、対向端壁、開放上部、および開放底部を有するカセットと、
前記開放上部を覆う上蓋と、
前記開放底部を覆う下蓋と、を備え、
前記カセットの前記対向側壁がそれぞれ垂直上部と内向き収束底部とを有するとともに複数の内向き細長垂直リブを有しており、隣接するリブが垂直または略垂直に互いに間隔をおいてアレイ状に配置される様々な厚さのメモリディスクを保持するスロットを画定し、各リブが前記開放上部近傍から前記開放底部近傍まで連続しており、各リブは前記対向側壁の前記垂直上部において直線上部を有するとともに前記対向側壁の前記収束底部において収束下部を有しており、また、各リブは前記開放上部よりも前記開放底部に近い位置にて断面が厚い厚肉部を有しており、隣接するリブによって画定される前記スロットが前記厚肉部によって狭窄化されている、ディスク輸送容器。
【請求項２】
一対の隣接するスロット内に配置される０．０２５インチ厚のディスクがそれぞれ各自のスロットに収容されて前記一対の隣接するスロットの他方に向かって傾斜する際に互いに接触しないように、前記リブが、０．０２５インチ厚のディスクと０．０５０インチ厚のディスクを受け入れて収容するスロットを画定するように構成されている、請求項１のディスク輸送容器。
【請求項３】
前記上蓋が、前記ディスクが収容されたときに前記カセット内の各ディスクと接触する係合部を有しており、前記上蓋が各ディスク用の個別のロケータを有していない、請求項１のディスク輸送容器。
【請求項４】
前記ディスク輸送容器は、各スロット内にそれぞれ配置される複数のディスクと組み合わせて用いられ、前記カセットが、各側壁の前記収束底部に隣接する弓状着座部にのみ各ディスクを着座させるように構成されている、請求項１のディスク輸送容器。
【請求項５】
前記カセットに装填される複数のディスクをさらに備え、前記上蓋が前記カセットに装着され、前記下蓋が前記カセットに装着され、前記カセットの前記側壁を内方に偏向させるのに十分な真空で前記ディスク輸送容器を包囲することにより、前記複数のディスクを定位置に固定して輸送中に前記複数のディスクが前記カセットに対して認識可能に移動しないようにする真空バッグをさらに備える請求項１のディスク輸送容器。
【請求項６】
前記カセットに装填される複数のディスクをさらに備え、前記上蓋が前記カセットに装着され、前記下蓋が前記カセットに装着され、前記カセットの前記側壁を内方に偏向させるとともに前記上蓋を内方に引っ張るのに十分な真空で前記ディスク輸送容器を包囲することにより、各ディスクを前記上蓋に係合させて定位置に固定し輸送中の移動を防止する真空バッグをさらに備える請求項１のディスク輸送容器。
【請求項７】
メモリディスクを輸送する汎用ディスク輸送容器であって、
対向側壁、対向端壁、開放上部、および開放底部を有するカセットと、
前記開放上部を覆う上蓋と、
前記開放底部を覆う下蓋と、を備え、
前記カセットの前記対向側壁がそれぞれ垂直上部と内向き収束底部とを有するとともに複数の内向き細長垂直リブを有しており、隣接するリブがメモリディスクを保持するスロットを画定し、
前記上蓋が、複数のディスクが収容された際に前記カセット内の各ディスクと接触する係合部を有しており、前記上蓋が前記カセットに装着され、前記上蓋が各ディスクと個々に係合する個別のロケータを有さないことによって、異なる厚さのディスクおよび異なる数のディスクと共にカセット上で前記上蓋が利用可能である、ディスク輸送容器。
【請求項８】
一対の隣接するスロット内に配置される０．０２５インチ厚のディスクがそれぞれ各自のスロットに収容されて前記一対の隣接するスロットの他方に向かって傾斜する際に互いに接触しないように、前記リブが、０．０２５インチ厚のディスクと０．０５０インチ厚のディスクを受け入れて収容するスロットを画定するように構成されている、請求項７のディスク輸送容器。
【請求項９】
前記上蓋に互いに平行に延びる２つの係合部があり、各係合部が平面状であり、かつ各係合部の全長に沿って連続している、請求項７のディスク輸送容器。
【請求項１０】
前記カセットに装填される複数のディスクをさらに備え、前記上蓋が前記カセットに装着され、前記下蓋が前記カセットに装着され、前記カセットの前記側壁を内方に偏向させること、および前記上蓋を下方に偏向させることのうち少なくともいずれかに十分な真空で前記ディスク輸送容器を包囲することによって、各ディスクを定位置に固定して輸送中の移動を防止する真空バッグをさらに備える請求項７のディスク輸送容器。
【請求項１１】
ディスク輸送システムであって、
特定のディスク径のサイズに合わせた複数カセットの目録であって、０．０２５、０．０３１５、０．０４０、０．０５０、０．０６９インチ厚のディスクのうちの少なくとも２つを収容可能なスロットをそれぞれ有する複数カセットの目録と、
個別のロケータを持たない上縁ディスク係合部を有する汎用上蓋の目録と、
下蓋の目録と、
組み立てられてディスク装填されたカセットを封止する真空バッグの目録と、
を備えるディスク輸送システム。
【請求項１２】
各カセットが一対の対向側壁を有し、各側壁が垂直上部と内向き収束底部とを有し、各カセットが前記一対の対向側壁の複数のリブによって画定される複数のスロットをさらに有し、各リブが前記側壁の前記垂直上部において直線上部を有するとともに前記側壁の前記収束底部において収束下部を有しており、また、各リブは前記開放上部よりも前記開放底部に近い位置にて厚肉部を有しており、前記厚肉部が該厚肉部の位置にて前記スロットを狭窄化する、請求項１０のディスク輸送システム。
【請求項１３】
ディスク輸送方法であって、
特定のディスク径のサイズに合わせた複数カセットの目録であって、０．０２５、０．０３１５、０．０４０、０．０５０、０．０６９インチ厚のディスクのうちの少なくとも２つを収容可能なスロットをそれぞれ有する複数カセットの目録を提供するステップと、
前記複数カセットのうちの１つに複数ディスクを装填するステップと、
前記カセット内に前記複数ディスクのいずれかを拘束するようにサイズ化された個別のロケータを持たない上蓋を装着するステップと、
前記カセットに下蓋を装着するステップと、
前記複数ディスクを前記カセット内の定位置に固定するのに十分な真空下で前記上蓋および前記下蓋が装着された前記カセットを真空パックするステップと、
より薄いディスクのわずかな傾斜が収容時において許容されるように、個別のロケータがない線形または平面状上縁ディスク係合部を有する汎用上蓋の目録を提供するステップと、を備え、
ディスク輸送容器の蓋と側壁が前記複数ディスク側に誘引されて前記複数ディスクを定位置に固定するように前記ディスク輸送容器が十分な真空下で真空パックされる、ディスク輸送方法。
【請求項１４】
特定径を有するとともに０．０２５インチ、０．０３１５インチ、０．０４０インチ、０．０５０インチ、および０．０６９インチから選択される少なくとも２つの異なる厚さを有する複数ディスクを輸送するディスク輸送方法であって、
単一サイズのスロットを有する単一サイズの複数カセットの目録であって、前記特定径のディスクのサイズに合わせられており、０．０２５インチ、０．０３１５インチ、０．０４０インチ、０．０５０インチ、０．０６９インチ厚のディスクのうちの少なくとも２つを収容可能なスロットをそれぞれ有する複数カセットの目録を提供するステップと、
前記目録の複数カセットに複数ディスクを装填するステップと、
複数の上蓋の目録を提供し、前記装填後の複数カセットのそれぞれに上蓋を装着し、０．０２５インチ、０．０３１５インチ、０．０４０インチ、０．０５０インチ、０．０６９インチ厚のディスクのうち少なくとも２つに対応する上蓋を利用するステップと、
前記複数カセットのそれぞれに下蓋を装着するステップと、
を備えるディスク輸送方法。
【請求項１５】
前記上蓋と下蓋の装着後に前記装填後の複数カセットのそれぞれを真空パックするステップをさらに備える請求項１４のディスク輸送方法。
【請求項１６】
前記カセットの側壁を内方に偏向させるとともに前記上蓋を下方に引っ張って各ディスクに係合させるのに十分な真空を前記装填後の各カセットに提供することにより各ディスクを前記カセット内の定位置に固定するステップと、
より薄いディスクのわずかな傾斜が収容時において許容されるように、個別のロケータがない線形または平面状上縁ディスク係合部を有する汎用上蓋の目録を提供するステップと、をさらに備え、
ディスク輸送容器の蓋と側壁が前記複数ディスク側に誘引されて前記複数ディスクを定位置に固定するように前記ディスク輸送容器が十分な真空下で真空パックされる、請求項１５のディスク輸送方法。
【請求項１７】
基板輸送用ディスク輸送容器であって、
対向側壁、対向端壁、開放上部、および開放底部を有するカセットと、
前記開放上部を覆う上蓋と、
前記開放底部を覆う下蓋と、を備え、
前記カセットの前記対向側壁がそれぞれ垂直上部を有するとともに、垂直位置または略垂直位置で互いに間隔をおいてアレイ状に前記基板を保持するスロットを画定する複数の内向き細長歯を有しており、各歯が前記開放上部近傍から前記開放底部近傍まで連続しており、各歯が前記対向側壁の前記垂直上部において上部を有するとともに前記対向側壁の収束底部において収束下部を有しており、前記複数の歯が複数のスロットを画定し、前記複数の歯が前記開放底部に近づくにつれて前記スロットが狭くなるように前記複数の歯が構成されることによって前記ディスクの安定支持領域が提供される、基板輸送用ディスク輸送容器。
【請求項１８】
カセット、上蓋、および下蓋を備える３片ディスク輸送容器にてメモリディスクを輸送する輸送方法であって、
前記上蓋の装着前に前記カセット内で各ディスクを９０度〜９２．１度で傾斜させること、
前記上蓋の装着時および装着後に前記傾斜を維持すること、
前記カセット内に前記ディスクを固定するために前記輸送容器を真空パックすること、
を備える輸送方法。
【請求項１９】
カセット、上蓋、および下蓋を備える３片ディスク輸送容器にてメモリディスクを輸送する輸送方法であって、
前記上蓋の装着前に前記カセット内で各ディスクを傾斜させること、
前記上蓋の装着時および装着後に前記傾斜を維持すること、
前記カセット内に前記ディスクを固定するために前記輸送容器を真空パックすること、
を備える輸送方法。
【請求項２０】
基板輸送用ディスク輸送容器であって、
対向側壁、対向端壁、開放上部、および開放底部を有し、０．０２５インチ、０．０３１５インチ、０．０４０インチ、０．０５０インチ、および０．０６９インチのディスク厚さのうち少なくとも２つの異なる厚さのディスクを受け入れるように構成されたカセットと、
前記開放上部を覆い、前記ディスクを非傾斜位置へ付勢せずにディスクの傾斜に適応する手段を有する上蓋と、
前記開放底部を覆う下蓋と、
を備える基板輸送用ディスク輸送容器。
【請求項２１】
基板輸送用ディスク輸送容器であって、
対向側壁、対向端壁、開放上部、および開放底部を有し、０．０２５インチ、０．０３１５インチ、０．０４０インチ、０．０５０インチ、および０．０６９インチの厚さのうち少なくとも２つの異なる厚さのディスクに対応する手段を有するカセットと、
前記開放上部を覆い、個々のディスクに対する個別のロケータを有さない上蓋と、
を備える基板輸送用ディスク輸送容器。
【請求項２２】
メモリディスク輸送用の汎用ディスク輸送容器システムであって、
対向側壁、対向端壁、開放上部、および開放底部をそれぞれ有する複数のカセットと、
前記複数のカセットの前記開放上部を覆う複数の上蓋と、
前記複数のカセットの前記開放底部を覆う複数の下蓋と、
異なるディスク厚または異なる収容能力のいずれかで変化する異なるディスク装填に対応する手段と、を備える汎用ディスク輸送容器システム。
【請求項２３】
前記異なるディスク装填に対応する手段が、異なるディスク厚でディスク装填を変化させることを含み、前記複数のカセットの各々が、薄い側の厚さと厚い側の厚さとの少なくとも２つの異なるディスク厚の装填に対応するように構成され、各カセットは複数のスロットを画定するリブを有し、前記複数のスロットは、前記薄い側の厚さのディスクを前記複数のスロット内にて傾斜させつつ互いに接触させないように構成されている、請求項２２の汎用ディスク輸送容器システム。
【請求項２４】
前記複数の上蓋の各々が、異なるディスク厚または異なる収容能力のいずれかで変化する異なるディスク装填に対応する手段を有する、請求項２２または２３の汎用ディスク輸送容器システム。
【請求項２５】
前記複数の上蓋の各々が、前記カセット内にディスクが収容されたときに各ディスクに接触する係合部を有し、各上蓋が、各ディスクに個々に係合するディスク毎の個別のロケータを有していない、請求項２２、２３、および２４のいずれか一項の汎用ディスク輸送容器システム。
【請求項２６】
前記汎用ディスク輸送容器システムは、前記複数のカセットの各スロットにディスクがそれぞれ配置される複数のディスクと組み合わせて用いられ、各カセットが、前記各側壁の収束底部に隣接する弓状着座部にのみ各ディスクを着座させるように構成されている、請求項２２、２３、２４、および２５のいずれか一項の汎用ディスク輸送容器システム。
【請求項２７】
前記各カセットに装填される複数のディスクをさらに備え、前記複数の上蓋が前記複数のカセットに装着され、前記複数の下蓋が前記複数のカセットに装着され、前記複数のカセットの前記側壁を内向きに偏向させるのに十分な真空で複数のディスク輸送容器を包囲することによって、前記複数のディスクを定位置に固定して輸送中に前記複数のディスクが前記カセットに対して認識可能に移動しないようにする複数の真空バッグをさらに備える請求項２２、２３、２４、および２５のいずれか一項の汎用ディスク輸送容器システム。
【請求項２８】
前記各カセットに装填される複数のディスクをさらに備え、前記複数の上蓋が前記複数のカセットに装着され、前記複数の下蓋が前記複数のカセットに装着されることにより、ディスク装填された複数のディスク輸送容器が形成され、これらディスク装填された複数のディスク輸送容器を包囲する複数の真空バッグをさらに備え、各真空バッグが、前記カセットの前記側壁を内方に偏向させるとともに前記上蓋を内方に引っ張るのに十分な真空を有することによって、前記各ディスクが前記上蓋と係合して定位置に固定されて輸送中の移動が防止される、請求項２２、２３、２４、および２５のいずれか一項の汎用ディスク輸送容器システム。
【請求項２９】
メモリディスク輸送用の汎用ディスク輸送容器システムであって、
対向側壁、対向端壁、開放上部、および開放底部を有するカセットと、
前記開放上部を覆う上蓋と、
前記開放底部を覆う下蓋と、
異なるディスク厚または異なる収容能力のいずれかで変化する異なるディスク装填に対応する手段と、
を備える汎用ディスク輸送容器システム。
【請求項３０】
前記異なるディスク装填に対応する手段が、異なるディスク厚でディスク装填を変化させることを含み、前記複数のカセットの各々が、薄い側の厚さと厚い側の厚さとの少なくとも２つの異なるディスク厚の装填に対応するように構成され、各カセットは複数のスロットを画定するリブを有し、前記複数のスロットは、前記薄い側の厚さのディスクを前記複数のスロット内にて傾斜させつつ互いに接触させないように構成されている、請求項２９の汎用ディスク輸送容器。
【請求項３１】
前記上蓋が、異なるディスク厚または異なる収容能力のいずれかで変化する異なるディスク装填に対応する手段を有する、請求項２９または３０の汎用ディスク輸送容器。
【請求項３２】
前記上蓋が、前記カセット内にディスクが収容されたときに各ディスクに接触する係合部を有し、前記上蓋が、各ディスクに個々に係合するディスク毎の個別のロケータを有していない、請求項２９、３０、および３１のいずれか一項の汎用ディスク輸送容器。
【請求項３３】
前記汎用ディスク輸送容器は、各スロットにディスクが配置される複数のディスクと組み合わせて用いられ、前記カセットが、前記各側壁の収束底部に隣接する弓状着座部にのみ各ディスクを着座させるように構成されている、請求項２９、３０、３１、および３２のいずれか一項の汎用ディスク輸送容器。
【請求項３４】
前記カセットに装填される複数のディスクをさらに備え、前記上蓋が前記カセットに装着され、前記下蓋が前記カセットに装着され、前記カセットの前記側壁を内向きに偏向させるのに十分な真空でディスク輸送容器を包囲することによって、前記複数のディスクを定位置に固定して輸送中に前記複数のディスクが前記カセットに対して認識可能に移動しないようにする真空バッグをさらに備える請求項２９、３０、３１、および３２のいずれか一項の汎用ディスク輸送容器。
【請求項３５】
前記カセットに装填される複数のディスクをさらに備え、前記上蓋が前記カセットに装着され、前記下蓋が前記カセットに装着され、前記カセットの前記側壁を内方に偏向させるとともに前記上蓋を内方に引っ張るのに十分な真空でディスク輸送容器を包囲することにより、各ディスクを前記上蓋に係合させて定位置に固定し輸送中の移動を防止する真空バッグをさらに備える請求項２９、３０、３１、および３２のいずれか一項の汎用ディスク輸送容器。
【請求項３６】
前記カセットが０．０２５、０．０３１５、０．０４０、０．０５０、０．０６９インチ厚のディスクのうちの少なくとも２つを収容可能である、請求項２９〜３６のいずれか一項の汎用ディスク輸送容器。
【請求項３７】
前記カセットが０．０２５、０．０３１５、０．０４０、０．０５０、０．０６９インチ厚のディスクのうちの少なくとも３つを収容可能である、請求項２９〜３６のいずれか一項の汎用ディスク輸送容器。
【請求項３８】
前記カセットが０．０２５、０．０３１５、０．０４０、０．０５０、０．０６９インチ厚のディスクのうちの少なくとも４つを収容可能である、請求項２９〜３６のいずれか一項の汎用ディスク輸送容器。
【請求項３９】
各カセットに収容される異なるディスク厚のディスクのうち最小厚ディスクの最大傾斜が垂直から２度未満であり、前記最小厚ディスクの隣接対のディスクが相互に傾斜したときに互いに接触することがない、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜３８のいずれか一項の汎用ディスク輸送容器。
【請求項４０】
各カセットに収容される異なるディスク厚のディスクのうち最小厚ディスクの最大傾斜が垂直から３度未満であり、前記最小厚ディスクの隣接対のディスクが相互に傾斜したときに互いに接触することがない、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜３８のいずれか一項の汎用ディスク輸送容器。
【請求項４１】
各カセットに収容される異なるディスク厚のディスクのうち最小厚ディスクの最大傾斜が垂直から１．６度以下であり、前記最小厚ディスクの隣接対のディスクが相互に傾斜したときに互いに接触することがない、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜３８のいずれか一項の汎用ディスク輸送容器。
【請求項４２】
前記カセットまたは各カセットのスロットに配置されるディスクが、各壁部の収束底部において前記開放底部に隣接する弓状着座部にのみ着座するように構成されている、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜４１のいずれか一項の汎用ディスク輸送容器。
【請求項４３】
前記カセットまたは複数のカセットのスロットに配置される複数のディスクが、真空パックされておらず前記上蓋と底部が係合している状態で、前記スロットの最下領域の弓状着座部にのみ着座するように構成され、前記輸送容器が真空パックされると、前記側壁の垂直上部が内側に引っ張られてスロットベース面で前記ディスクの外周と接触することにより前記ディスクの位置が横方向に固定される、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜４２のいずれか一項の汎用ディスク輸送容器。
【請求項４４】
前記カセットまたは複数のカセットのスロットに配置される複数のディスクが、真空パックされておらず前記上蓋と底部が係合している状態で、前記スロットの最下領域の弓状着座部にのみ着座するように構成され、前記輸送容器が真空パックされると、前記側壁の垂直上部が内側に引っ張られてスロットベース面で前記ディスクの外周と接触することにより前記ディスクの位置が横方向に固定される、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜４２のいずれか一項の汎用ディスク輸送容器。
【請求項４５】
真空パック後に前記上蓋が前記ディスクと係合しない、請求項４４の汎用ディスク輸送容器。
【請求項４６】
十分な真空でディスク輸送容器を真空パックすることによって、ａ）前記カセットの側壁を内方に偏向させて前記ディスクの側部と係合させること、およびｂ）前記上蓋を下方に偏向させて前記ディスクと係合させること、のうちの一方または両方によって、各ディスクを輸送中に定位置に固定して輸送中の移動を防止する、請求項１〜１０のいずれか一項のディスク輸送容器、もしくは請求項１１または１２のディスク輸送システム、もしくは請求項１３〜１６のいずれか一項のディスク輸送方法、もしくは請求項１７、２０、および２１のいずれか一項の基板輸送用ディスク輸送容器、もしくは請求項１８または１９の輸送方法、もしくは請求項２２〜２８のいずれか一項の汎用ディスク輸送容器システム、もしくは請求項２９〜３８のいずれか一項の汎用ディスク輸送容器。
【発明の詳細な説明】
【技術分野】
【０００１】
本発明は、データ記憶ディスク、基板ウェーハなどの円盤状物品を運搬するパッケージおよび容器に関する。より詳細には、本発明は、現代のディスク輸送実務に適した高度な汎用性特徴を有する容器パッケージに関する。
【背景技術】
【０００２】
長年の間、製造業者はデータ記憶ディスクや基板ウェーハなどを運搬、保管、および処理する特別な容器を製造してきた。このような物品の共通の特徴は、汚染物質に特に敏感であるために、露出を回避するために取扱の際に特別な注意を必要とすることである。容器には、ディスクを外部の不純物から保護するための蓋部材が設けられるが、汚染の大きな脅威は、ディスク上に落ち着き、欠陥を生じさせる可能性のある空中微粒子の形状で容器内で発生する。微粒子は、ディスクカセットを製造するのに使用される材料の超小型片である場合があり、ディスクがディスクカセット内で回転する、がたつく、および傾斜する際に、ディスクカセットとディスク間で起きる摩耗から生じ得る。ディスクの回転、がたつき、および傾斜の主な原因に、移送や取扱中のディスクカセットの移動がある。
【０００３】
データ記憶ディスクに関しては、微粒子はデータ記憶媒体を汚染する作用があり、データを記憶および／または検索する能力を低下させる品質管理上の問題がある。
従来のディスク輸送容器は、開放上部、開放底部、および開放底部で収束し、上縁から下方へ延在するＵ型開口部で終わる細長側壁を有する矩形カセットを備える。複数の平行リブ部材または歯が、間にスロットを画定する側壁の内面を下方に延在する。上蓋がカセット上に装着されて、カセット端部の開放上部とＵ型開口部とを閉鎖する。従来、上蓋は、カセット内の各ディスクを個々に係合、拘束、および設置するために上蓋内部を中央部で下方に延在する歯または突起として構成されるロケータを有する。また上蓋は、ロケータの両側にロケータと平行に走るポリマーストリップを有することができると知られている。反クロッキングリブまたはストリップと呼ばれることの多いこれらのストリップはディスクの回転を最小化することを目的とし、ディスクと個々に係合する異なる個別の特徴を有していない。特許文献１および特許文献２を参照されたい。両特許文献とも、たとえば上記３片ディスク輸送容器に関し本願の所有者に譲渡されており、参照によりどちらもここに組み込まれる。
【０００４】
このような従来技術の運搬装置におけるディスク係合部は、ディスクアレイ全体で均等にディスクと係合することが困難である。具体的には、バネ支持型の歯が、本願の所有者が所有する特許文献３に示されている。端部でラッチされている上蓋は上蓋の中間で外方に曲がる傾向があり、該運搬装置の中間部にあるディスクは、端部近傍のディスクほど下方に拘束されない。上蓋によるこのディスク係合の不均等を是正することが有益であろう。
【０００５】
現在、これらの輸送容器で輸送されるディスクは様々な厚さに規格化されており、具体的には、０．０２５、０．０３１５、０．０４０、０．０５０、０．０６９インチが目下使用されている。従来の市販のカセットは、径および厚さのいずれとも単一サイズのディスクを運搬するように構成されている。比較的厚いディスクを比較的薄いディスク用に設計された運搬装置に、たとえば０．０５０インチのディスクを０．０３１５インチのディスク用に設計された運搬装置に挿入しようとすると、少なくともディスクが損傷を負う可能性が高く、ディスクを取り除くのが困難である。
【０００６】
同様に、比較的薄いディスクを比較的大きいディスク用に設計された従来のカセット内に置くと、ディスクは通常大きくずれて、ディスクの損傷と微粒子の生成を引き起こす可能性があるだけでなく、上蓋を設置するのが困難である。このようなディスクの損傷は、たとえば、隣接ディスク間の接触やディスクの傾斜とがたつきによって発生することがある。傾斜とがたつきは微粒子の生成も引き起こす。上蓋上の従来のロケータは、特定の厚さのディスク用に構成されており、従来の上蓋が設置されるときに、傾斜ディスクはロケータ上のディスク縁受入れ領域を外して、ディスクの損傷および／または微粒子の生成を引き起こすだけでなく上蓋の設置を困難にする場合がある。
【０００７】
カセット、ひいてはディスク輸送容器の長さは規格化されており、製造施設で該機器は特定サイズのカセットを収容するように設計されている。製造業者は特定のサイズや長さのカセットがより多くのディスクを輸送できるように、ディスク間の距離を小さくしてスロットを追加しており、これは比較的薄いディスクに特に当てはまる。カセットの外部は同じだが、内部は異なり、スロットが高密度になる分、隣接スロット間の間隔またはピッチは小さくなる。通常、ディスクのサイズ（厚さ）、および当然ながら収容能力、確実に径サイズが異なれば、異なるカセットと異なる上蓋が必要となる。このような複雑さは、たとえば、ディスクが梱包および輸送される際に、特定のディスク厚または特定の収容能力の運搬装置がどの上蓋を使用するかという目録および部品選択の問題を引き起こす可能性がある。
【０００８】
これらの輸送容器用の構成要素は、しばしばカセットの場合はポリカーボネート、上蓋および下蓋の場合はポリエチレンまたはその他のポリマーなどのポリマーを射出成形することによって製造される。様々な数や様々な厚さのディスクを収容するために様々な構成の上蓋ロケータが必要とされる際、構成毎に高額なツールが必要となる。それはスチール製金型であり、容量と厚さの組み合わせのアレイを取り扱うには、金型用の様々なインサートの作成が必要とされる。より少ないプラスチック樹脂で特定の設計のカセットまたは上蓋を提供できることが、コスト面からも環境面からも有益である。
【０００９】
ディスクを装填したディスク輸送容器でディスクを輸送する際、該容器を金属袋で、その後さらに副次的なポリエチレン真空バッグで真空ラッピングすることが現在では一般的である。
【００１０】
ディスク輸送容器は、径が４８ｍｍ、５４ｍｍ、６５ｍｍ、７０ｍｍ、８４ｍｍ、および９５ｍｍ、厚さが０．０６９インチ（１．７５ｍｍ）、０．０５０インチ（１．２７ｍｍ）、０．０４０インチ（１．０２ｍｍ）、０．０３１５インチ（０．８ｍｍ）、および０．０２５インチ（０．６３５ｍｍ）のディスクサイズを含む特定径のディスクサイズを支持するように設計および製造されている。カセットおよび上蓋で汎用性がさらに提供される範囲で、輸送オプションの柔軟性におけるさらなる多様性をより低コストで提供することができる。
【先行技術文献】
【特許文献】
【００１１】
【特許文献１】米国特許第４，５５７，３８２号明細書
【特許文献２】米国特許第６，９０２，０５９号明細書
【特許文献３】米国特許第５，２５３，７５５号明細書
【発明の概要】
【発明が解決しようとする課題】
【００１２】
したがって、微粒子や汚染物質の問題に対応し、輸送の際のディスクへの損傷を最小化しつつ、さらなる汎用性を提供する改良ディスク輸送容器構成要素においては、射出成形工具などの製造コストを最小化させる必要性や、環境に対してより優しくする必要性が存在する。本発明はこれらに対処する。このようなディスク輸送容器は、ディスク輸送容器を真空パックするという現在一般的な方法を利用する。
【課題を解決するための手段】
【００１３】
本発明の実施形態は、データ記憶ディスクまたはその他の円盤状物品を移送、保管、および処理する際に使用される改良ディスク容器である。輸送用の目録システムおよび方法は、容器内で様々な厚さのディスクや様々な枚数のディスクを梱包および輸送しつつ、最小数の構成要素をストックすることを可能とする。構成要素は、微粒子の生成とディスクの損傷を最小化し、組立を簡易化しつつ汎用性を提供する。本発明の一実施形態は、径は同じだが厚さの異なる様々なディスクを取り扱うように構成される汎用ディスクカセットである。本発明の一実施形態では、汎用上蓋は、様々な厚さのディスクを装填したカセット、すなわち、０．０２５インチのディスクを装填したカセットまたは０．０５０インチのディスクを装填したカセット用に構成される。汎用上蓋は、両カセット上で互換可能に構成される。また、汎用上蓋は、様々な収容枚数のディスクカセット、すなわち２５枚収容の６５ｍｍディスクカセットまたは３５枚収容の６５ｍｍディスクカセット上で使用されるように構成される。一実施形態に係る汎用上蓋は、両カセット上で互換可能に使用されるように構成される。
【００１４】
本発明の一実施形態では、ディスク輸送システムは、２つ以上の厚さ、たとえば、０．０２５、０．０３１５、０．０４０、０．０５０、０．０６９インチのディスクを収容する特定径のディスク用のカセットの目録を提供する。システムは、より薄いディスクのわずかな傾斜が収容時において許容されるように、線形または平面状上縁ディスク係合部を有する汎用上蓋の目録も提供する。この汎用上蓋は個別のロケータを有していない。容器は、ディスク輸送容器の蓋および側壁がディスク側に誘引されてディスクを定位置に固定するように、十分な真空下で真空パックすることができる。
【００１５】
本発明の一実施形態では、ディスク輸送システムは、特定径のディスク用の複数のカセットを提供し、複数のカセットはたとえば、２５、３５、および５０枚などの様々な収容能力のカセットを含み、汎用上蓋はディスク収容枚数に関して固有ではないディスク上縁係合部を有する。上蓋はたとえば、２５、３５、および５０枚のディスクを装填したカセットのそれぞれと共に使用することができるが、個別のロケータを有していない。さらに、ディスク輸送容器は、その輸送容器の蓋および側壁がディスク側に誘引されてディスクを定位置に固定し、上蓋とディスクの上縁との係合を固定するように十分に真空パックすることができる。
【００１６】
本発明の一実施形態に係るディスク輸送方法は、様々な厚さのディスクを収容するように構成されるカセットの目録を保持するステップであって、隣接ディスクが相互に接触しないようにカセットに収容される最も狭いディスクの傾斜を制限するように該カセットが構成されるステップと、上蓋の目録を保持するステップであって、各上蓋が直線状の汎用ディスク係合部を有する、および／または個々のディスク用の個別のロケータを持たないステップとを備える。
【００１７】
本発明の一実施形態に係るディスク輸送方法は、様々な収容能力のディスクカセットの目録を保持するステップと、汎用上蓋の目録を保持するステップと、様々な収容能力のカセットを選択および充填するステップと、様々な収容能力のディスクカセット用の汎用上蓋を利用するステップとを備える。様々な収容能力のディスクカセット用の汎用上蓋を利用することは、各装填カセット上に下蓋の１つを配置することを含む。本発明の実施形態では、組み立てられて装填されたディスク輸送容器を真空パックまたは二重真空パックすることをさらに提供することができる。
【００１８】
本発明の一実施形態に係るディスク輸送方法は、各セットが特定の収容能力を有するカセットから成る複数セットの様々な収容能力のディスクカセットの目録を保持するステップと、それぞれが様々なディスク収容枚数のカセットと係合する能力を有する１セットの汎用上蓋を保持するステップと、様々な収容能力のカセットを選択および充填するステップと、様々な収容能力のディスクカセット用の汎用上蓋を利用するステップとを備える。
【００１９】
本発明の一実施形態は、開放上部および開放底部を有するカセット部と、開放上部を覆う上蓋と、開放底部を覆う下蓋とを備える。本体部は対向側壁と対向端壁を有する。２つの側壁はそれぞれ垂直平面上部と内向き収束底部とを有する。また、側壁は、垂直に配置され互いに間隔をおいてアレイ状にディスクを保持するためのスロットを画定する、歯とも呼ばれる内向き細長リブを有する。各リブは開放上部近傍から開放底部近傍まで連続している。また、各リブは側壁の垂直上部において直線上側垂直部を有し、側壁の底部において収束下部を有している。リブの垂直直線上部の各隣接対が直線上側スロット部を画定する。各リブの収束下部は側壁の底部の収束に追従し、ディスクの外周にほぼ一致して湾曲する収束スロット部を画定する。スロットは、隣接する垂直リブの中間にある側壁の内面によって画定されるスロットベース面と共に均一に直線的である。リブは、垂直直線上部の下部で厚くなっている。リブの厚肉部はリブの収束下部に延在することができる。したがって、スロットは、リブ厚肉部において隣接リブの中間で狭められる。スロットベース面は、スロットが狭くなるまで直線的である。
【００２０】
本発明の一実施形態では、リブ厚肉部を含めリブによって画定されるスロットは様々な厚さのディスク、たとえば、厚いディスクと薄いディスクの使用を可能にするように構成され、スロットは薄いディスクの傾斜を許容するが、隣接スロットにおいて逆に傾斜するディスクと接触するほどの傾斜は許容しないように構成される。
【００２１】
本発明の一実施形態では、汎用上蓋は、より薄いディスクのわずかな傾斜が収容時において許容されるように、線形または平面状上縁ディスク係合部を有する。上蓋は、個別のロケータを有していない。
【００２２】
本発明の一実施形態では、汎用上蓋は個別のロケータを持たず、線形または平面状の上縁ディスク係合部を有するため、様々なディスク容量のカセットを、同じ汎用上蓋で利用することができる。
【００２３】
本発明の一実施形態では、様々な厚さで様々な傾斜のディスクを収容する汎用上蓋は、協働するカセットと共に使用される。本発明の一実施形態では、個別のロケータは、カセット上の上蓋の配置を邪魔せずに、様々な厚さのディスクとディスクの起こり得る傾斜とを収容するのに十分なディスク係合受けを有する。本発明の一実施形態では、より薄いディスクのわずかな傾斜が収容時において許容され、個別のロケータが設けられていない。特定の実施形態でロケータがないことで、上蓋の金型の工具類コストが最小限になる。
【００２４】
特定の実施形態の利点および特徴は、汎用上蓋が、各ディスクの上縁と接触してディスクを定位置に保持するのを助けるために従来使用されていた別個のリテーナ／クッションを利用しないことである。また、これにより、すべての厚さのディスクに同じ輸送容器と上蓋を使用することができ、上蓋をより安価に製造し易くする。特定の本発明の実施形態におけるディスク係合部は上蓋の壁の一部である、あるいは、係合されるディスクのアレイの長さに沿って延在する一対の一体的な刃であってもよい。
【００２５】
本発明の一実施形態の利点は、ディスクを保持するリブ部材の形状である。これらのリブ部材は部材の長さに沿って２つの異なる厚みを有する。部材の底部近傍の位置ではリブ部材の厚さが最適厚まで増やされて、０．０２５インチ厚のディスクから０．０５０インチ厚のディスクを挿入することができ、容器の底部に対して垂直となり、ディスク間の接触を防ぐのに十分なほど傾斜を制限するようにこれらのディスクを支持する。
【００２６】
本発明の一実施形態の別の利点は、ディスクカセット内のディスクを、上蓋内のクッション／リテーナ部材を必要とせずに両者間の摩耗発生を低減するように安定させる改良ディスクカセットを提供することである。
【００２７】
本発明の実施形態の別の特徴および利点は、ディスク輸送容器を真空パックする利点が、汎用カセット内の傾斜ディスクを固定して輸送中のディスクの移動を排除または最小化するように最適に利用されることである。出願人は、このような固定により特定サイズの汎用カセットを様々な厚さのディスクと共に利用することができることを見出し、これは従来実際的ではなかった、あるいは出願人の認識では既知でなかった。
【００２８】
本発明の実施形態の別の特徴および利点は、ディスク輸送容器を真空パックする利点が、傾斜ディスクを汎用上蓋およびカセットと併せて傾斜ディスクを固定して輸送中のディスクの移動を排除または最小化するように最適に利用されることである。出願人は、このような固定により個々のディスクに対する個別のロケータを持たない汎用上蓋の使用が可能になることを見出した。このような個別のロケータを持たない汎用上蓋の使用および構造は従来実際的ではなかった、あるいは出願人の認識では既知でなかった。
【００２９】
本発明の実施形態の別の特徴および利点は、ディスク輸送容器を真空パックする利点が、上蓋およびカセットと併せて傾斜ディスクを固定して輸送中のディスクの移動を排除または最小化するように最適に利用されることである。本発明は、ディスクの上部と係合しない上蓋を利用することと、上蓋によって提供されているディスクへの下方の制約なしに輸送容器内にディスクを係止する、カセットの側壁に引き込まれた真空パックを利用することとを含む。カセットの側部は、側壁の上部が傾斜するように引き込まれる。特定の実施形態では傾斜を垂直から１〜２度、他の実施形態では垂直から２〜３度、他の実施形態では５度超、一部の実施形態では３度超とすることができる。このような状態で、上開口部はディスクの直径の幅未満の幅まで低減させることによってディスク定位置に係止することができる。よって、上蓋は、個々のディスクと接触しない特定の実施形態で使用することができる。このような非係合汎用上蓋の使用は従来実際的ではなかった、あるいは出願人の認識では既知でなかった。他の実施形態では、上蓋のみを真空パックによって十分に偏向させて、輸送時にディスクと係合させディスクを定位置に固定させることができる。
【００３０】
本発明の実施形態の別の特徴および利点は、異なる厚さのディスクを収容することのできる汎用カセット、異なる収容能力を持つ様々なカセット、および異なる数のディスクと異なる厚さのディスクに対応することのできる汎用上蓋の使用を可能にしつつ、ディスク輸送容器を真空パックする利点がディスクを固定するために最適に利用されることである。出願人は、このような固定により個々のディスクに対する個別のロケータを持たない汎用上蓋の使用が可能になることを発見した。このような個別のロケータを持たない汎用上蓋の使用および構造は従来実際的ではなかった、あるいは出願人の認識では既知でなかった。
【００３１】
本発明の実施形態の別の利点は、摩耗機会を低減するように各ディスクとディスクカセット間の接触面積を最小限にする改良ディスクカセットを提供することである。
本発明の実施形態の別の利点は、データ記憶ディスク上のメモリ媒体を汚染させる、または損傷させる、あるいはその他の円盤状物品を汚染させる、または損傷させる可能性のある微粒子の生成を防止するのに役立つ改良ディスクカセットを提供することである。
【００３２】
本発明の実施形態の別の利点は、上蓋内のクッション／リテーナ機構の必要性を排除する改良ディスク安定化を有する改良ディスクカセットを提供することである。
本発明の実施形態の別の利点は、上蓋設置前、上蓋設置中、および上蓋設置後のディスクの傾斜が許容される改良ディスクカセットを提供することである。このような能力により、上蓋のディスク係合部の設計を大幅に単純化させることができる。たとえば、上蓋壁部の一部であるパネル状ストリップを使用することができる。もしくはまたはさらに、上蓋壁部と一体化された垂直ストリップを使用することができる。
【００３３】
本発明の実施形態の別の利点は、上蓋からクッション／リテーナ機構を除去することにより形成のために最小量の材料しか必要とせず、製造コストとサイクル時間を軽減する改良ディスクカセットを提供することである。
【００３４】
本発明の実施形態の別の利点は、様々な収容能力のカセットと様々な厚さのディスク上で使用可能であることにより、カセット収容能力とディスク厚との組み合わせを変化させるのに必要な工具類を最小限にすることができる改良上蓋を提供することである。
【図面の簡単な説明】
【００３５】
【図１】本発明の実施形態に係るカセット、上蓋、および下蓋を有する汎用３片ディスク輸送容器の展開立面図である。
【図２】本発明の実施形態に係る汎用カセットの斜視図である。
【図３】本発明の実施形態に係る汎用上蓋の下側の斜視図である。
【図４】明瞭化のために対向側壁を取り除いた、カセットの内部リブの立面図である。
【図５】本発明の実施形態に係るスロットを画定するリブの斜視図である。
【図６】図２の線６−６に沿った断面図である。
【図７】図６の対応する線に沿った本発明の実施形態に係るリブの断面図である。
【図８】図６の対応する線に沿った本発明の実施形態に係るリブの断面図である。
【図９】図６の対応する線に沿った本発明の実施形態に係るリブの断面図である。
【図１０】図６の対応する線に沿った本発明の実施形態に係るリブの断面図である。
【図１１】図６の対応する線に沿った本発明の実施形態に係るリブの断面図である。
【図１２】５０ミルのディスクが設置されたディスク支持部材の上部の図６の線１２−１２部分の拡大図である。
【図１３】４０ミルのディスクが設置されたディスク支持部材の上部の図６の線１２−１２部分の拡大図である。
【図１４】３１．５ミルのディスクが設置されたディスク支持部材の上部の図６の線１２−１２部分の拡大図である。
【図１５】２５ミルのディスクが設置されたディスク支持部材の上部の図６の線１２−１２部分の拡大図である。
【図１６】本発明の実施形態に係る真空パックされた輸送容器の斜視図である。
【発明を実施するための形態】
【００３６】
図１は、反クロッキングリブとして構成されるディスク係合部２４を有する上蓋２２と、カセット２６と、下蓋２８とから成る３片ディスク輸送容器２０の立面図である。
図２は、２つの別々の厚みを有し、ディスクを定位置に保持する改良リブ３０を示す本発明の汎用ディスクカセット２６の斜視図である。カセットは対向側壁３１、３２と、それぞれがＵ型開口部３６を有する端壁３３、３４とを有する。カセットは開放上部３８と開放底部３９を有する。側壁は上側垂直平面部４０および下側内向き収束部４２と、内向き内面４４および外向き面４６とを有する。
【００３７】
図４〜図６を参照すると、側壁および内向き細長リブ３０のさらなる詳細が示されている。リブ３０はディスクを受け入れて保持するスロット５０を画定する。ディスク５４は図６で破線で示され、周縁５６を有する。各リブ３０は、開放上部３８近傍から開放底部３９近傍まで連続している。各リブは側壁の垂直上部で直線上側垂直部６０を、側壁の下部で収束下部６２を有する。リブの垂直直線上部の各隣接対は直線上側スロット部６８を画定する。各リブの収束下部６２は側壁の底部の収束に追従し、ディスクの外周にほぼ一致して湾曲する収束スロット部７２を画定する。上側スロット部６８は、隣接垂直リブの中間の側壁内面によって画定されるスロットベース面７８と共に一様に直線状である。リブは垂直直線上部の下部８６の厚肉部８２で厚み８０を有し、リブ厚肉部はリブの収束下部６２へと延在することができる。したがって、スロットは狭窄スロットベース面９０のリブ厚肉部で、隣接リブの中間で狭くなる。
【００３８】
ディスク５４の外縁５６が、スロットベース面の最下部を含む放射状シートとも称される弓状着座部９４に着座する。通常の状態では、ディスクはリブによって前方および後方、すなわちカセットの長さ方向に拘束されるが、放射状シート９４を除き、それ以外ではスロットベース面に接触しない。真空パック状態下では、ディスクが装填されたカセットの側壁は、破線によって示されるように位置９３まで内方に偏向させられて、ディスクと接触しディスクをカセット内に固定する。同様に、真空パックされている間は上蓋とディスクの上縁との係合が確保されて、ディスクを定位置に固定し、ほぼまたは完全にディスクの容器に対する移動を防止する。特定の実施形態では、真空パックによる内方へのカセット側壁の偏向は、ディスクをスロットの定位置に固定して、輸送中に認識可能な移動を防ぐのに十分である。上記実施形態では、上蓋とディスクの上縁との係合または接触を排除することができる。
【００３９】
図３を参照すると、汎用上蓋が示されている。上蓋はパネル状上壁９５とカセット上のＵ型開口部を閉鎖するＵ型端部片９７とを有し、カセットの上蓋を固定する部分９８をラッチする。３片ディスク輸送容器用の従来の上蓋と異なり、この蓋は個々のディスクを個別に係合する歯またはロケータを有さない。その代わりに、パネル状上壁の一部であってもよい連続的なディスク係合面９６が設けられる。もしくはまたはさらに、好ましくはパネル状上壁と一体化したポリマーのストリップまたはリブが、破線で指定される位置で下向き面９９から下方に延在することができる。図１は上記リブ２４を示す。
【００４０】
図１２〜１５は、様々なサイズのディスクが設置されたディスク支持部材の上部の詳細図である。これらの図は、各リブ３０の下部でリブ３０が厚くされる本発明の構成のカセット内で隣接して装着されるディスク間の例示の離間距離を示す。図１２は、隣接して設置される０．０５０インチ厚のディスク１００間の例示の離間距離を示す。隣接ディスク１００間の最小離間距離ｄ１は０．１００インチであり、隣接ディスク間の最大離間距離ｄ２は０．１０５インチである。このとき、０．０５０インチ厚のディスクはカセットの底縁１０１に対して９０．４度の角度を有する。図１３は、隣接して設置される０．０４０インチ厚のディスク１０２間の離間距離を示す。隣接して装着されるディスク１０２間の最小離間距離ｄ３は０．０７１インチであり、最大離間距離ｄ４は０．２０３インチである。０．０４０インチ厚のディスク１０２はカセットの底縁１０１に対して９１．１度の角度を有する。図１４は、隣接して設置される０．０３１５インチ厚のディスク１０４間の離間距離を示す。隣接ディスク１０４間の最小離間距離ｄ５は０．０４７インチであり、隣接ディスク間の最大離間距離ｄ６は０．２４４インチである。０．０３１５インチ厚のディスクはカセットの底縁１０１に対して９１．６度の角度を有する。図１５は、隣接して設置される０．０２５インチ厚のディスク１０６間の離間距離を示す。隣接ディスク１０６間の最小離間距離ｄ７は０．０２９インチであり、隣接ディスク間の最大離間距離ｄ８は０．２７５インチである。０．０２５インチ厚のディスクはカセットの底縁１０１に対して９２度の角度を有する。特定の実施形態では、隣接ディスクのそれぞれの最大傾斜は垂直から２度未満である。特定の実施形態では、隣接ディスクのそれぞれの最大傾斜は垂直から３度未満である。特定の実施形態では、隣接ディスクのそれぞれの最大傾斜は垂直から１．６度以下である。上記の各実施形態では、隣接ディスクは、互いに傾斜したときに相互に接触せず離間される。
【００４１】
図４、図５、および図６は、ディスク支持部材の領域と厚みを増したディスク支持部の領域とを示すカセット側部の部分図である。カセット内の各歯は、たとえば０．１１７インチであるリブ３０の上部の幅ｗ１を含むことができる複雑なプロファイルを有する。歯のプロファイルは、着座したディスクの中心１２０に対応する水平高度１２４で０．１３０インチの厚さに調和させることができる。図６を参照されたい。厚肉部はディスク締め具と称することもできる。この位置での２つの歯間のディスクスロット幅ｗ２は０．０４８インチである。図１５に示されるように、全サイズのディスクのディスク傾斜が、０．０２５インチ厚の最薄ディスクの場合でも許容可能であり、隣接ディスクは相互に接触しない。これにより、隣接ディスク間の接触を排除するという要件が達成される。
【００４２】
図７〜図１１は、図６で指定されるようなリブの様々な地点におけるリブプロファイルの例示の変動を示す。スロットが線１２４において最も狭いときに、リブが最も厚くなるものとして図示されている。
【００４３】
図１６を参照すると、汎用カセットおよび汎用上蓋を真空バッグ１３０と共に利用することで、カセット内にディスクを固定させて輸送中の運動、がたつき、および回転を実質上除去する。このようなバッグにより、カセットの側壁と上蓋が損傷なくディスクを確実に拘束することができる。さらに、本明細書での改善はさらに、様々な厚さのディスクに対して同じカセットおよび上蓋を使用する柔軟性を提供する。改善は、ディスク輸送容器のより経済的な製造も提供する。
【００４４】
本発明の一実施形態では、本明細書に記載のカセットと本明細書に記載の上蓋とは、様々な厚さの特定サイズのディスクを輸送するために現在必要とされている現行の多数の構成要素目録全体に大きな利点を提供するディスク輸送システムにおいて利用することができる。このような新たなシステムは、０．０２５、０．０３１５、０．０４０、０．０５０インチ厚のディスクのうち少なくとも２つを収容するスロットをそれぞれ有する、特定径のディスクのサイズに合わせたカセットの目録を提供することと、個別のロケータを持たない上縁ディスク係合部を有する、あるいは様々な厚さのディスクに対して調節することのできる汎用上蓋の目録を提供することと、下蓋の目録を提供することと、組み立てられ装填されたカセットを封止する真空バッグの目録を提供することとを備える。
【００４５】
本発明の一実施形態では、ディスク輸送方法は、０．０２５、０．０３１５、０．０４０、０．０５０インチ厚のディスクのうち少なくとも２つを収容するスロットをそれぞれ有する、特定径のディスク用のサイズのカセットの目録を提供することと、前記カセットの１つをディスクの装填で充填することと、カセット内のいずれかのディスクを拘束するようなサイズの個別のロケータを持たない上蓋を装着することと、下蓋をカセットに装着することと、ディスクをカセット内の定位置に固定するのに十分な真空下で上蓋および下蓋を装着した装填カセットを真空パックすることと、を備える。容器は好ましくは、ディスク輸送容器の蓋と側壁がディスクに誘引されてディスクを定位置に固定するように十分な真空下で真空パックされる。容器はさらなる保護のために二次的に真空パックすることができる。
【００４６】
本明細書の構成要素は従来同様、射出成形ポリマーで形成することができる。
３片ディスク輸送容器の従来の特徴を開示するため、参照により米国特許第６，９０２，０５９号、第４，５５７，３８２号、および第５，２５３，７５５号がここに組み込まれる。そのうちいくつかの要素は本明細書に開示の構造および発明に適用可能である。
【００４７】
上記実施形態は限定ではなく例示を目的とする。
追加の実施形態は請求の範囲に含まれる。特定の実施形態を参照して本発明を説明したが、当業者であれば、本発明の思想および範囲から逸脱せずに形状および細部に変更を加えることができると認識しうる。
【図１】
2013511791.tif 000003
【図２】
2013511791.tif 000004
【図３】
2013511791.tif 000005
【図４】
2013511791.tif 000006
【図５】
2013511791.tif 000007
【図６】
2013511791.tif 000008
【図７】
2013511791.tif 000009
【図８】
2013511791.tif 000010
【図９】
2013511791.tif 000011
【図１０】
2013511791.tif 000012
【図１１】
2013511791.tif 000013
【図１２】
2013511791.tif 000014
【図１３】
2013511791.tif 000015
【図１４】
2013511791.tif 000016
【図１５】
2013511791.tif 000017
【図１６】
2013511791.tif 000018
【国際調査報告】
2013511791.tif 000019
2013511791.tif 000020
2013511791.tif 000021